(57)【要約】【課題】容易に開閉操作が可能なキャップ及び容器を提供する。【解決手段】キャップ３は、容器１の口部２４に取り付けられる本体部３１と、本体部３１に第一ヒンジ部を介して開閉可能に接続される蓋部３２と、を備える。蓋部３２は第一ヒンジ部よりも外方に突出する第一延設部を有する。また、容器１は、上述のキャップ３と、キャップ３の本体部３１が取り付けられる口部２４を有する容器本体２と、備える。【選択図】図１
2020055604.tif 000002
【特許請求の範囲】
【請求項１】
容器の口部に取り付けられる本体部と、
前記本体部に第一ヒンジ部を介して開閉可能に接続される蓋部と、
を備え、
前記蓋部は前記第一ヒンジ部よりも外方に突出する第一延設部を有する、
ことを特徴とするキャップ。
【請求項２】
前記蓋部は、前記第一延設部と前記第一ヒンジ部を挟んだ反対側において前記本体部の外方へ突出する第二延設部を有することを特徴とする請求項１に記載のキャップ。
【請求項３】
前記蓋部は、前記本体部よりも大径に形成されて、前記本体部に対する突出量が前記蓋部の全周に亘って同じであることを特徴とする請求項２に記載のキャップ。
【請求項４】
前記蓋部は、前記本体部と前記第一ヒンジ部を介して接続される蓋部本体と、該蓋部本体に第二ヒンジ部を介して接続される延設部材と、を有し、
前記第一延設部は、前記延設部材が前記蓋部本体と係合して前記第一ヒンジ部よりも外方に突出する、
ことを特徴とする請求項１又は請求項２に記載のキャップ。
【請求項５】
前記第一延設部は、前記第一ヒンジ部の回動軸方向の側方側から延設して前記第一ヒンジ部よりも外方に突出することを特徴とする請求項１又は請求項２に記載のキャップ。
【請求項６】
口部を有する容器本体と、
前記口部に取り付けられる本体部と、前記本体部に第一ヒンジ部を介して開閉可能に接続される蓋部とを有するキャップと、
を備え、
前記蓋部は前記第一ヒンジ部よりも外方に突出する第一延設部を有する、
ことを特徴とする容器。
【発明の詳細な説明】
【技術分野】
【０００１】
本発明は、キャップ及び容器に関する。
【背景技術】
【０００２】
従来から、チューブ容器用のキャップが提案されている。例えば、特許文献１には、キャップ本体と、キャップ本体にヒンジを介して開閉自在に連結される蓋部（蓋体）とを備えるチューブ容器用キャップが開示されている。このチューブ容器用キャップでは、蓋部の外形がキャップ本体の外径より大径となるように形成されており、キャップを装着したチューブ容器の倒立状態における自立安定性を優れたものとしている。
【先行技術文献】
【特許文献】
【０００３】
【特許文献１】特開２００５−３２９９６６号公報
【発明の概要】
【発明が解決しようとする課題】
【０００４】
しかしながら、上記のチューブ容器用キャップでは、ヒンジがキャップの本体及び蓋部の後端縁に形成されており、蓋部を開ける際、一方の手でチューブ容器を把持するとともに他方の手で蓋部前端の指掛片を開方向に押す等の操作が必要である。そのため、使用者によっては蓋部の開閉操作が煩雑な場合がある。
【０００５】
本発明は、容易に開閉操作が可能なキャップ及び容器を提供することを目的とする。
【課題を解決するための手段】
【０００６】
本発明のキャップは、容器の口部に取り付けられる本体部と、前記本体部に第一ヒンジ部を介して開閉可能に接続される蓋部と、を備え、前記蓋部は前記第一ヒンジ部よりも外方に突出する第一延設部を有する、ことを特徴とする。
【０００７】
本発明の容器は、口部を有する容器本体と、前記口部に取り付けられる本体部と、前記本体部に第一ヒンジ部を介して開閉可能に接続される蓋部とを有するキャップと、を備え、前記蓋部は前記第一ヒンジ部よりも外方に突出する第一延設部を有する、ことを特徴とする。
【発明の効果】
【０００８】
本発明によれば、容易に開閉操作が可能なキャップ及び容器を提供することができる。
【図面の簡単な説明】
【０００９】
【図１】本発明の実施形態１に係る容器を示す図であり、（ａ）は側面図を示し、（ｂ）は背面図を示す。
【図２】本発明の実施形態１に係る図１（ｂ）の容器のＩＩ−ＩＩ拡大断面図である。
【図３】本発明の実施形態１に係る蓋部を開けた容器のキャップ周辺を示す図であり、（ａ）は拡大平面図を示し、（ｂ）は拡大側面図を示す。
【図４】本発明の実施形態１に係る容器の使用状態を示す図であり、（ａ）は蓋部が閉じた状態を示し、（ｂ）は蓋部が開いた状態を示す。
【図５】本発明の実施形態２に係る容器のキャップ周辺を示す図であり、（ａ）は斜視図を示し、（ｂ）は図５（ａ）の容器のＶ−Ｖ線片側断面図である。
【図６】本発明の実施形態２に係る蓋部を開けた容器のキャップ周辺を示す図である。
【図７】本発明の実施形態２に係るキャップを展開した様子を示す図であり、（ａ）は側面図を示し、（ｂ）は平面図を示す。
【図８】本発明の実施形態３に係る容器のキャップ周辺を示す斜視図である。
【図９】本発明の実施形態３に係る蓋部を開けた容器のキャップ周辺を示す図である。
【図１０】本発明の実施形態３に係るキャップの蓋部を開けた状態を示す図であり、（ａ）は側面図を示し、（ｂ）は平面図を示す。
【発明を実施するための形態】
【００１０】
（実施形態１）
次に、図に基づいて、本発明の実施形態１を説明する。図１（ａ）は容器１の側面図を示し、図１（ｂ）は容器１の背面図を示している。なお、以下の説明では、容器１のヒンジ部３３（第一ヒンジ部）側を後、その反対側を前として説明する。容器１は、内部にマヨネーズ等の粘稠物を収容することができ、蓋部３２を開けた状態（図３参照）で吐出部３１３側を下にして容器本体２を圧迫すると、吐出部３１３から内容物を外部に吐出させることができる。
【００１１】
容器１は、容器本体２と、容器本体２の口部２４側に取り付けられるキャップ３とを備える。容器本体２やキャップ３は、例えば、ポリエチレン、ポリプロピレン等のオレフィン系樹脂によりブロー成形等によって成形することができる。容器本体２は、略楕円形筒状の胴体部２１と、胴体部２１の下方を閉塞する底部２２と、胴体部２１から上方へ向かって漸次窄まるように形成される肩部２３とを有する。
【００１２】
図２のＩＩ−ＩＩ拡大断面図に示すように、肩部２３の上端には、円筒状の口部２４が形成される。口部２４の内周面は、肩部２３の内周面から段部２４１を介して接続されて、肩部２３の内径よりも小径に形成される。口部２４の外周面には雄螺子部２４２が形成される。
【００１３】
キャップ３は、口部２４に取り付けられる有底円筒状の本体部３１と、本体部３１にヒンジ部３３を介して回動可能に接続される蓋部３２とを有する。本体部３１の内周面には、口部２４に形成された雄螺子部２４２と螺合可能な雌螺子部３１１が形成される。本体部３１の上底３１２における略平坦な上面３１２ａには、中空円筒状の吐出部３１３が上方へ向かって突設している。吐出部３１３は本体部３１の前方側へ設けられる。吐出部３１３内の吐出孔３１４は上底３１２を上下方向に貫通しており、この吐出孔３１４を介して容器本体２内の内容物は外部に吐出することができる。
【００１４】
上面３１２ａの外周縁側には短円筒状の環状壁部３１５が形成される。環状壁部３１５の前方側の外周面の一部には、環状壁部３１５の外周面に沿って円弧状に設けられた凸部である係合部３１５ａが形成される（図３（ａ）も参照）。上底３１２の後方端側には、左右方向を回動軸とするヒンジ部３３が形成される。本実施形態のヒンジ部３３は、上底３１２の後方端側に設けられた回動軸部３１６と、蓋部３２から突設された回動軸部３２２と、回動軸部３１６，３２２内の軸受に挿通される軸芯Ａとにより形成される。蓋部３２はヒンジ部３３により本体部３１に対して回動可能に移動することができる。
【００１５】
蓋部３２は本体部３１の外周径よりも大径であって容器本体２の外周径よりも小径の略円板状に形成される。蓋部３２の上面は略円形の平坦面として形成される。蓋部３２における本体部３１と対向する内面３２ｃ側には、環状外壁３２１が形成される。回動軸部３２２は、蓋部３２の後方側において、環状外壁３２１の先端から下方に延設される。回動軸部３２２は、軸芯Ａの軸方向に離間して回動軸部３１６の両端に位置するように二箇所に形成される（図１（ｂ）及び図３（ａ）参照）。環状外壁３２１の内周面の前方側の一部には、本体部３１の係合部３１５ａと係合可能な凸部である被係合部３２１ａが形成される。係合部３１５ａと被係合部３２１ａとの係脱により、蓋部３２が開閉する際のクリック感を得ることができる。
【００１６】
環状外壁３２１の内側の底部３２１ｂには、環状外壁３２１よりも小径に形成された円筒状の封止突起３２３が形成される。図２のように蓋部３２を閉じた状態では、封止突起３２３の先端側の内周面が吐出部３１３の先端側の外周面と略当接し、封止突起３２３は吐出孔３１４を封止することができる。そのため、容器本体２の内容物が意図せず外部に漏れ出ることを防止することができる。
【００１７】
本実施形態の蓋部３２は、本体部３１に対する径方向外側への突出量が蓋部３２の全周に亘って略同じとなるように形成される。従って、蓋部３２の後端側の延設部３２ａ（第一延設部）は、本体部３１及びこの本体部３１に形成されたヒンジ部３３よりも外方（後方）に位置している。また、延設部３２ａとヒンジ部３３を挟んだ反対側である蓋部３２の前端側の延設部３２ｂ（第二延設部）は、本体部３１よりも外方（前方）に位置している。蓋部３２はヒンジ部３３を介して本体部３１に対して開閉することができる。
【００１８】
次に、蓋部３２の開閉動作について説明する。図４（ａ）に示すように使用者が容器本体２を傾けながら把持するなどして蓋部３２の延設部３２ａ側を載置面Ｓに当接させて、使用者が容器１を載置面Ｓ側へ押すと、延設部３２ａには本体部３１側への負荷（蓋部３２の開方向への負荷）が加えられる。すると、延設部３２ａが力点、ヒンジ部３３が支点、蓋部３２の延設部３２ｂ側が作用点として動作して、蓋部３２の前方側（延設部３２ｂ側）に本体部３１から離間する力が働く。蓋部３２の離間方向の力によりキャップ３内の係合部３１５ａと被係合部３２１ａとの係合が解除されると、蓋部３２は図４（ｂ）に示すようにヒンジ部３３を支点として開き、開状態となる。
【００１９】
本実施形態の蓋部３２は、図３（ｂ）に示すように、開状態において略９０度回動することができる。また、延設部３２ａのヒンジ部３３から外方への突出量は、ヒンジ部３３から本体部３１の開口端３１７までの距離よりも短く形成されるため、開状態の蓋部３２と容器本体２との干渉を防ぐことができる。
【００２０】
また、使用者が容器本体２を把持するなどして開状態の蓋部３２の延設部３２ｂ側を載置面Ｓに当接させて、使用者が容器１を載置面Ｓ側へ押すと、蓋部３２には本体部３１側への負荷（蓋部３２の閉方向への負荷）が加えられる。すると、蓋部３２がヒンジ部３３を支点として閉方向に回動する。そして、係合部３１５ａと被係合部３２１ａとが係合すると、蓋部３２は閉状態となる。
【００２１】
このように、本実施形態のキャップ３を備えた容器１は、片手であっても容易に開閉可能とすることができる。そのため、例えば、使用者は、容器本体２を把持したまま蓋部３２を開状態とし、そのまま容器本体２を握って押圧すると吐出部３１３から内容物を任意の量吐出させ、そして容器本体２を把持したまま蓋部３２を閉状態にするという、操作を手早く容易に行うことができる。
【００２２】
また、容器１は、テーブル等の載置面Ｓに蓋部３２側を向けて倒立させることができる。従って、本実施形態の容器１は、保管状態においてキャップ３側を下に向けて内容物を吐出部３１３側に予め移動させておくことができ、使用時に手早く内容物を吐出させることができる。
【００２３】
（実施形態２）
次に実施形態２について説明する。図５（ａ）は容器１Ａのキャップ３Ａ周辺を示す斜視図である。また、図５（ｂ）は図５（ａ）の容器１ＡのＶ−Ｖ線片側断面図である。実施形態２の容器１Ａは、実施形態１のキャップ３の代わりにキャップ３Ａを備える。なお、キャップ３Ａの説明においてキャップ３と同様の構成については、その説明を省略又は簡略化する。
【００２４】
キャップ３Ａは、容器本体２の口部２４に取り付けられる有底筒状の本体部３１Ａと、本体部３１Ａにヒンジ部３４（第一ヒンジ部）を介して回動可能に接続される蓋部３２Ａとを有する。本体部３１Ａは、実施形態１の本体部３１と同様に構成することができる。すなわち、本体部３１Ａの内周面には、口部２４に形成された雄螺子部２４２と螺合可能な雌螺子部３１１が形成される。図７（ａ）及び図７（ｂ）に示すように、本体部３１Ａの上底３１２における略平坦な上面３１２ａには、中空円筒状の吐出部３１３が上方へ向かって突設している。吐出部３１３内の吐出孔３１４は上底３１２を上下方向に貫通している。
【００２５】
また、図６及び図７（ａ）等にも示すように、上面３１２ａの外周縁側には短円筒状の環状壁部３１５が形成される。環状壁部３１５の前方側の外周面の一部には、環状壁部３１５の外周面に沿って係合部３１５ａが形成される。
【００２６】
図６において、上底３１２の後方端には、左右方向を回動軸とするヒンジ部３４が形成される。本実施形態のヒンジ部３４は、本体部３１Ａ及び蓋部３２Ａの回動軸である内側連結片３４１と、内側連結片３４１の左右両側に配置されて蓋部３２Ａの回動を規制する外側連結片３４２とを有する（図７（ｂ）も参照）。内側連結片３４１は、平面視において外周面３２ｄと略同曲率の曲面のヒンジ形成面３５３，３１８に形成される。また、外側連結片３４２は、ヒンジ形成面３５３，３１８の両側に段部を介して隣接する平面部３５４及び平面部３１９に跨って形成される。
【００２７】
内側連結片３４１及び外側連結片３４２は、本体部３１Ａ及び蓋部３２Ａと一体で薄肉に成形される。また、各外側連結片３４２は、内側連結片３４１よりも幅狭に形成される。外側連結片３４２の本体部３１Ａ側の接続端３４２ａは内側連結片３４１の回動軸よりも下方側に配置され、蓋部３２Ａ側の接続端３４２ｂは内側連結片３４１の回動軸よりも上方側に配置される。また、外側連結片３４２の各接続端３４２ａ，３４２ｂは内側連結片３４１の回動軸よりも前方側に配置される。外側連結片３４２は蓋部３２Ａの回動中に外側連結片３４２がやや引張応力を受けるように形成されるため、蓋部３２Ａは、内側連結片３４１を回動軸として回動しながら外側連結片３４２により開状態側又は閉状態側に付勢される。
【００２８】
蓋部３２Ａは、本体部３１Ａと略同じ外周径で形成された有底筒状の蓋部本体３５と、蓋部本体３５とヒンジ部３６（第二ヒンジ部）を介して接続された延設部材３７と、を有する。蓋部本体３５の上面３５ａは略円形に形成され、この上面には前後方向に亘って底浅の凹矩形状の溝部３５１が形成される。蓋部本体３５の前方側の外周面３２ｄの下端には、指掛片３５２が突設されている。指掛片３５２は蓋部本体３５の外周面３２ｄに沿って円弧状に形成される。
【００２９】
延設部材３７は、図７（ｂ）に示すように、蓋部本体３５とヒンジ部３６を介して回動可能に接続される。ヒンジ部３６は、蓋部本体３５の指掛片３５２側の外周面３２ｄにおいて溝部３５１の底部近傍と接続される。また、ヒンジ部３６は、蓋部本体３５及び延設部材３７と一体成形することができる。
【００３０】
延設部材３７は略長矩形板状に形成される。延設部材３７は、左右幅が溝部３５１の幅よりもやや小さく形成され、前後長さが溝部３５１よりも長く形成される。また、延設部材３７の厚みは溝部３５１の深さと略同じになるように形成される。図５（ａ）及び図５（ｂ）に示すように、延設部材３７は、ヒンジ部３６により蓋部本体３５側に折り返して、露出面３７ａと蓋部本体３５の上面３５ａとが略同一面となるように溝部３５１内に収納することができる。
【００３１】
図７（ａ）及び図７（ｂ）で、延設部材３７は、ヒンジ部３６の反対側の端部における露出面３７ａの反対面側にリブ３７１を有する。リブ３７１は延設部材３７の左右両側に２箇所形成される。各リブ３７１は、図７（ｂ）に示すように、側面視略三角形の板状に形成され、延設部材３７側からの立設高さはヒンジ部３６側に近づくほど高くなるように傾斜している。図５（ａ）に示すように、延設部材３７を溝部３５１内に収納すると、リブ３７１の立設面３７２と蓋部本体３５のヒンジ部３４側の外周面３２ｄとは近接又は当接することができる。このとき、図示はしないが、立設面３７２の一部には係合部を設け、立設面３７２と対向するヒンジ形成面３５３には被係合部を設けて、延設部材３７を溝部３５１内に収容すると係合固定されるように構成することができる。係合部及び被係合部は、凸部同士の組み合わせ又は凸部及び凹部の組み合わせとすることができる。
【００３２】
本実施形態の蓋部３２Ａは、蓋部本体３５の溝部３５１に係合するように収納された延設部材３７の一部がヒンジ部３４よりも本体部３１Ａの径方向外方へ突出して形成される。従って、蓋部３２Ａの後端側の延設部３７ｂ（第一延設部）は、本体部３１Ａ及びこの本体部３１Ａに接続されたヒンジ部３４よりも外方（後方）に位置している。また、蓋部本体３５の外周面３２ｄが全周に亘って本体部３１Ａと略同じ外周径となるように形成される。そのため、キャップ３Ａを備えた容器１Ａは、キャップ３Ａ全体を小型としながら、蓋部３２Ａを片手であっても容易に開閉可能とすることができる。また、キャップ３Ａは一体成形することができるため組立コスト等も抑制することができる。
【００３３】
（実施形態３）
次に、実施形態３について説明する。図８は容器１Ｂのキャップ３Ｂ周辺を示す斜視図である。実施形態３の容器１Ｂは、実施形態１のキャップ３の代わりにキャップ３Ｂを備える。なお、キャップ３Ｂの説明においてキャップ３と同様の構成については、その説明を省略又は簡略化する。
【００３４】
キャップ３Ｂは、容器本体２の口部２４に取り付けられる有底筒状の本体部３１Ｂと、本体部３１Ｂにヒンジ部３４を介して回動可能に接続される蓋部３２Ｂとを有する。本体部３１Ｂは、実施形態１の本体部３１と同様に構成することができる。すなわち、本体部３１Ｂの内周面には、口部２４に形成された雄螺子部２４２と螺合可能な雌螺子部３１１が形成される（図２等参照）。図１０（ａ）及び図１０（ｂ）に示すように、本体部３１Ｂの上底３１２における略平坦な上面３１２ａには、中空円筒状の吐出部３１３が上方へ向かって突設している。吐出部３１３内の吐出孔３１４は上底３１２を上下方向に貫通している。
【００３５】
また、上面３１２ａの外周縁側には短円筒状の環状壁部３１５が形成される。環状壁部３１５の前方側の外周面の一部には、環状壁部３１５の外周面に沿って係合部３１５ａが形成される。上底３１２の後方端には、左右方向を回動軸とするヒンジ部３４が形成される。キャップ３Ｂのヒンジ部３４は、内側連結片３４１及び外側連結片３４２を備えており、キャップ３Ａのヒンジ部３４と同様の構成とすることができる。
【００３６】
蓋部３２Ｂは、本体部３１Ｂと略同じ外周径の外周面３２ｄを有する有底筒状に形成される。蓋部３２Ｂの上端側には、蓋部３２Ｂの外径方向に突出するように延設された鍔部３２４が形成される。図８に示すように、鍔部３２４は、ヒンジ部３４側周辺を除いた略全周に亘って設けられ、本体部３１Ｂに対する径方向外側への突出量が蓋部３２Ｂの前方側及び左右側方側において略同じとなるように形成される。また、鍔部３２４は、蓋部３２Ｂの後方側に延設された左側の延設部３２５（第一延設部）及び右側の延設部３２６（第一延設部）を有する。延設部３２５，３２６は、ヒンジ部３４に対して回動軸方向の両側方から離間して複数延設され、ヒンジ部３４を挟んで左右対称形状に形成される。左側の延設部３２５の左側縁３２５ａと、右側の延設部３２６の右側縁３２６ａは、前後方向に亘り略平行に形成される。図１０（ａ）の平面視において、延設部３２５及び延設部３２６は、先端側へ向かって漸次縮幅するように形成され、延設部３２５と延設部３２６との間には、鍔部３２４の後方へ向かって拡開する平面視略台形状の切欠部３２４ａが形成される（図８も参照）。延設部３２５及び延設部３２６の先端は、平面視において各々左側縁３２５ａ及び右側縁３２６ａと垂直に接続され、延設部３２５及び延設部３２６は平面視略直角台形状に形成される。
【００３７】
図９において、延設部３２５，３２６の下面３２５ｂ，３２６ｂは、蓋部３２Ｂの外周面３２ｄと傾斜しながら接続される。また、鍔部３２４の前方及び左右側方の下面３２４ｂも、外周面３２ｄと傾斜しながら接続される。
【００３８】
本実施形態の蓋部３２Ｂでは、蓋部３２Ｂの後端側の延設部３２５，３２６（第一延設部）が、本体部３１Ｂ及びこの本体部３１Ｂに接続されたヒンジ部３４よりも外方（後方）に位置している。また、延設部３２５，３２６とヒンジ部３４を挟んだ反対側である鍔部３２４の前端側の延設部３２４ｃ（第二延設部）は、本体部３１よりも外方（前方）に位置している。
【００３９】
本実施形態のキャップ３Ｂは、蓋部３２Ｂを開状態としても、切欠部３２４ａにより、蓋部３２Ｂの後方へ延設された２つの延設部３２５，３２６が本体部３１Ｂと干渉することを防止できる。そのため、キャップ３Ｂは、蓋部３２Ｂの回動域を広く確保しながら、片手であっても容易に開閉可能とすることができる。例えば、蓋部３２Ｂは、本体部３１Ｂに対して略９０度開いたり（図９参照）、本体部３１Ｂに対して略１８０度開くことができる（図１０（ａ）及び図１０（ｂ）参照）。
【００４０】
以上、本発明の実施形態を説明したが、本発明は本実施形態により限定されることは無く、種々の変更を加えて実施することができる。例えば、蓋部３２，３２Ａ，３２Ｂの本体部３１，３１Ａ，３１Ｂに対する回動軸であるヒンジ部としては、各実施形態１〜３で示したいずれのヒンジ部３３，３４を適用してもよい。
【００４１】
また、ヒンジ部３３，３４は、本体部３１，３１Ａ，３１Ｂ及び蓋部３２，３２Ａ，３２Ｂの一方がＣ環状の軸受を係合部として有し、他方がそのＣ環状の係合部の内部に回動可能に係合する円柱棒状の被係合部を有する構成としてもよい。
【符号の説明】
【００４２】
１        容器                        １Ａ      容器
１Ｂ      容器                        ２        容器本体
３        キャップ                    ３Ａ      キャップ
３Ｂ      キャップ                    ２１      胴体部
２２      底部                        ２３      肩部
２４      口部                        ３１      本体部
３１Ａ    本体部                      ３１Ｂ    本体部
３２      蓋部                        ３２Ａ    蓋部
３２Ｂ    蓋部                        ３２ａ    延設部
３２ｂ    延設部                      ３２ｃ    内面
３２ｄ    外周面                      ３３      ヒンジ部
３４      ヒンジ部                    ３５      蓋部本体
３５ａ    上面                        ３６      ヒンジ部
３７      延設部材                    ３７ａ    露出面
３７ｂ    延設部                      ２４１    段部
２４２    雄螺子部                    ３１１    雌螺子部
３１２    上底                        ３１２ａ  上面
３１３    吐出部                      ３１４    吐出孔
３１５    環状壁部                    ３１５ａ  係合部
３１６    回動軸部                    ３１７    開口端
３１８    ヒンジ形成面                ３１９    平面部
３２１    環状外壁                    ３２１ａ  被係合部
３２１ｂ  底部                        ３２２    回動軸部
３２３    封止突起                    ３２４    鍔部
３２４ａ  切欠部                      ３２４ｂ  下面
３２４ｃ  延設部                      ３２５    延設部
３２５ａ  左側縁                      ３２５ｂ  下面
３２６    延設部                      ３２６ａ  右側縁
３２６ｂ  下面                        ３４１    内側連結片
３４２    外側連結片                  ３４２ａ  接続端
３４２ｂ  接続端                      ３５１    溝部
３５２    指掛片                      ３５３    ヒンジ形成面
３５４    平面部                      ３７１    リブ
３７２    立設面
Ａ        軸芯                        Ｓ        載置面
【図１】
2020055604.tif 000003
【図２】
2020055604.tif 000004
【図３】
2020055604.tif 000005
【図４】
2020055604.tif 000006
【図５】
2020055604.tif 000007
【図６】
2020055604.tif 000008
【図７】
2020055604.tif 000009
【図８】
2020055604.tif 000010
【図９】
2020055604.tif 000011
【図１０】
2020055604.tif 000012